(57)【要約】  【課題】  引き出し式食器洗い機で、洗浄庫を引出し又は押入れた際の衝撃等により生じた大きな波立ちにより異常水位と判定され、洗浄庫内の水位が正常水位であっても異常検知処理を実行するおそれがあった。【解決手段】  洗浄運転を実行する制御部は、筐体からの洗浄庫を引出し又は押入れたときに動作するドアスイッチのオンオフ状態の変化を検知してから一定時間（１０秒）以内に、洗浄庫内の異常水位時に動作する異常水位検知スイッチのオンを検知したとき、異常検知処理を実行せず、またドアスイッチのオンオフ状態の変化を検知してから一定時間以上経過してから異常水位検知スイッチのオンを検知したとき、異常検知処理を実行する構成である。【選択図】  図９
2006075640.tif 000002
【特許請求の範囲】
【請求項１】
前面が開放した筐体から前方に引き出し自在の洗浄庫の底部に水を貯留し、その水を吸引して洗浄庫内に噴射することにより該洗浄庫内に収納した食器類を洗浄する食器洗い機において、
洗浄庫に貯留した水の水位を検知する水位検知手段と、
該水位検知手段の検知結果に基づいて異常水位であるか否かを判定する異常判定手段と、
筐体からの洗浄庫の引出し動作若しくは押入れ動作、又は該動作に関連した内部動作を認識する認識手段と、
を備え、前記異常判定手段は、前記認識手段による認識結果を受けて異常水位を判定する際の基準を変更する又は該判定を一時的に休止することを特徴とする食器洗い機。
【請求項２】
前記認識手段は、洗浄庫の引出し動作及び押入れ動作に応じてオン／オフするスイッチ手段であることを特徴とする請求項１に記載の食器洗い機。
【請求項３】
前記異常判定手段は、前記認識手段による認識結果を受けてから一定時間以内は異常水位の判定を休止し、該一定時間が経過した以降に異常水位の判定を行うことを特徴とする請求項１又は２に記載の食器洗い機。
【請求項４】
前記水位検知手段は洗浄庫内に貯留した水が所定水位に達したことを検知し、前記異常判定手段は、該水位検知手段による検知結果が所定時間以上継続したときに異常水位であると判断することを特徴とする請求項１〜３のいずれかに記載の食器洗い機。
【請求項５】
前記水位検知手段は洗浄庫内に貯留した水が所定水位に達したことを検知し、前記異常判定手段は、該水位検知手段による検知結果が所定時間以上継続したときに異常水位であると判断し、前記認識手段による認識結果を受けてから一定時間以内は該一定時間以降よりも前記所定時間の長さを長く設定することを特徴とする請求項１又は２に記載の食器洗い機。
【発明の詳細な説明】
【技術分野】
【０００１】
本発明は食器洗い機に関し、特にビルトインタイプに好適な食器洗い機に関する。
【背景技術】
【０００２】
家庭用の食器洗い機は、一般に、洗浄庫内に水道水を導入してその底部に貯留し、そのあとポンプを作動させて貯留した水を吸引してノズルへ送給し、ノズルから勢いよく水を噴射させて洗浄庫内に収容した食器類を洗浄するという構成を有している。従来のこの種の食器洗い機は、筐体の内部に洗浄庫が配設され、筐体の前面には手前下方に回動するドアが設けられ、ドアを開いた状態で食器籠を水平前方に引出し自在の構造となっている。
【０００３】
近年、システムキッチンの普及に伴い、システムキッチンに組み込むためのビルトインタイプの食器洗い機が市販されている。ビルトインタイプに適した食器洗い機として、特開２０００−１３９７９９号公報等に記載のものが知られている。この食器洗い機はいわゆる引出し方式の食器洗い機であって、食器を収納するための食器籠を内装する洗浄庫が前面板を兼ねるドアとともに前方に引き出し可能に構成されている。洗浄庫を引き出した状態では洗浄庫の上面が広く開口していて上から食器類を出し入れできるようになっており、洗浄庫を筐体に押し入れると筐体内の上部空間に待機していた上蓋が降下して洗浄庫の上面開口を閉塞する構造を有している。
【特許文献１】特開２０００−１３９７９９号公報
【発明の開示】
【発明が解決しようとする課題】
【０００４】
従来より食器洗い機では、例えば給水バルブの故障等により給水が停止できなくなったときに洗浄庫から水が溢れてしまうのを防止するため、洗浄庫内の異常水位を検出するための異常水位検知用のスイッチを設け、このスイッチによる検知結果に基づいて洗浄庫内の水位が異常であることを判断して、異常報知を行ったり、排水ポンプを動作させて洗浄庫内からの強制的な排水を行ったりするようにしている。しかしながら、上述したような引出し式の食器洗い機では、例えば洗浄中に食器類を追加するためなどに運転を一時停止して洗浄庫を引き出すと、洗浄庫内に貯留した水が大きく波立って、実際は正常な水位であるにも拘わらず異常水位検知用スイッチが作動して異常水位であると判断されてしまうおそれがある。
【０００５】
本発明はこのような課題を解決するために成されたものであり、本発明の目的とするところは、洗浄庫の引出し・押入れ動作に伴う大きな波立ちが生じた場合でも、異常水位である旨の誤判定を行うことがない食器洗い機を提供することにある。
【課題を解決するための手段】
【０００６】
上記課題を解決するために成された本発明に係る食器洗い機は、前面が開放した筐体から前方に引き出し自在の洗浄庫の底部に水を貯留し、その水を吸引して洗浄庫内に噴射することにより該洗浄庫内に収納した食器類を洗浄する食器洗い機において、洗浄庫に貯留した水の水位を検知する水位検知手段と、該水位検知手段の検知結果に基づいて異常水位であるか否かを判定する異常判定手段と、筐体からの洗浄庫の引出し動作若しくは押入れ動作、又は該動作に関連した内部動作を認識する認識手段と、を備え、前記異常判定手段は、前記認識手段による認識結果を受けて異常水位を判定する際の基準を変更する又は該判定を一時的に休止することを特徴としている。
【０００７】
この発明に係る食器洗い機によれば、洗浄庫の引出し又は押入れ動作が行われた直後の貯留水の波立ちが大きいと推測し得る時間内には、洗浄庫が筐体内に収納された定常状態であれば異常水位であると判定されるような水位になったとしても、異常判定手段はすぐには異常水位であるとは判断しない。なお、洗浄庫の引出し・押入れ動作の直後でない場合には、水の溢流に至るような異常な水位に達したことを迅速に認識して、異常報知を行ったり排水を開始する等の異常対策をとったりすることができる。
【０００８】
この発明に係る食器洗い機において、前記認識手段は、例えば、洗浄庫の引出し動作及び押入れ動作に応じてオン／オフするスイッチ手段とすることができる。このスイッチ手段は必ずしも洗浄庫の引出し動作及び押入れ動作を認識するものである必要はなく、例えば洗浄庫の引出し・押入れ動作に連動して上蓋が上昇・下降する構成では、上蓋の上下動作や上蓋の位置を検知する手段とすることもできる。この構成によれば、洗浄庫の出し入れに対応して確実に上述したような異常判定の変更を行うことができる。また、上記認識手段は、洗浄庫の引出し・押入れ動作を行うためのかなり確実性の高い予兆として発生する内部動作を認識するものでもよく、例えば洗浄運転中に運転の一時停止の操作がなされたことに対応して生じる内部動作を認識するものでもよい。
【０００９】
また、この発明に係る食器洗い機において、前記異常判定手段は、前記認識手段による認識結果を受けてから一定時間以内は異常水位の判定を休止し、該一定時間が経過した以降に異常水位の判定を行う構成とすることができる。この構成によれば、洗浄庫が筐体から引き出され又は筐体に押し入れられてから一定時間内は洗浄庫内の水位の如何に拘わらず、異常水位の報知や水を強制的に排出する等の対策は実行されない。
【００１０】
したがって、洗浄庫の引出しや押入れ動作に伴って洗浄庫内で非常に大きな波立ちが発生しても、これを異常な水位であると誤判断してしまうことがない。
【００１１】
また、この発明に係る食器洗い機において、前記水位検知手段は、洗浄庫内に貯留した水が所定水位に達したことを検知し、前記異常判定手段は、該水位検知手段による検知結果が所定時間以上継続したときに異常水位であると判断する構成とすることができる。通常の洗浄運転中、すすぎ運転中などにおいても水の噴射によって水位は上下動するが、このような構成によれば、こうした水の噴射等で生じる比較的短時間の間の水の上下動の影響を除くことができるので、異常な水位に達したことを正確に判断することができる。
【００１２】
さらに、この発明に係る食器洗い機において、前記水位検知手段は、洗浄庫内に貯留した水が所定水位に達したことを検知し、また前記異常判定手段は、該水位検知手段による検知結果が所定時間以上継続したときに異常水位であると判断し、前記認識手段による認識結果を受けてから一定時間以内は該一定時間以降よりも前記所定時間の長さを長く設定する構成としてもよい。この構成では、洗浄庫の引出しや押入れ動作が行われてから一定時間以内であっても、定常時であれば異常水位であると看做せる状態が長く続く場合には、異常水位であると判断されて異常報知や異常対策がとられることになる。
【００１３】
したがって、例えばいたずら等によって洗浄庫の引出し及び押入れ動作が比較的短時間で繰り返された場合でも、水位が異常であることを認識することができ、水が洗浄庫から溢れ出ることをより確実に防止することができる。更に、このような状況で仮に正常水位であったとしても、水位が所定水位に達するような状態が長い時間継続するほど洗浄庫の引出し及び押入れ動作が激しく繰り返されていることが想定できる。したがって、仮に実際に異常な水位でないとしても、異常水位であると判断して異常報知を行うことは使用者に警告を発するという点で有益である。
【発明の効果】
【００１４】
この発明に係る食器洗い機によれば、洗浄庫内の貯留水の水位が正常であるにも拘わらず、洗浄庫を引き出し又は押し入れた際の衝撃等によって生じた大きな波立ちのために異常報知してしまったり或いは不必要に排水動作が開始されてしまう、といった不具合を回避することができる。
【発明を実施するための最良の形態】
【００１５】
以下、本発明の一実施形態による食器洗い機について図面を参照して説明する。図１及び図２は本実施形態による食器洗い機の全体構成を示す概略側面断面図であり、図１は洗浄庫を筐体に収納した状態、図２は洗浄庫を筐体から引き出した状態を示している。
【００１６】
まず図１及び図２に基づいて、本食器洗い機の概略構成を説明する。前面が開口した筐体１の内部には上面開口３を有する洗浄庫２が配設され、洗浄庫２の内部には食器類を整列するための図示しない食器籠が設置されている。洗浄庫２は筐体１の前面開口を閉塞する前面板を兼ねたドア４と一体になっており、筐体１の両側壁面内側に略水平に設置されたレール５に沿って前方に略水平に引き出し自在となっている。洗浄庫２の底部中央には、上面に複数のノズルが形成された回転自在のアーム６が設けられている。洗浄庫２の底部には一段低く窪んだ貯水槽７が形成されるとともに、洗浄庫２の底面下方には洗浄兼排水ポンプ８が略水平に横たわった状態で配置され、この洗浄兼排水ポンプ８が洗浄ポンプとして作動するとき、貯水槽７から吸引された水がアーム６へと送出され、ノズルから洗浄庫２内に噴射される。洗浄庫２の後面には図示しない給水バルブを備えた伸縮自在の給水管９が接続されており、給水バルブが開かれると外部の水道栓等から供給された水が給水管９を通して洗浄庫２内に注がれる。
【００１７】
筐体１内にあって洗浄庫２の上方には、洗浄庫２の上面開口３を閉塞するための上蓋１０が設けられている。この上蓋１０は、筐体１の側壁面内側に一端が軸支され、他端が上蓋１０の側面に軸支された左右一対の平行リンク１１により揺動自在に支持されている。また、上蓋１０の後部には、上蓋１０の位置に応じて上蓋１０を上下両方向に選択的に付勢する付勢装置１２が設けられている。これにより、洗浄庫２が筐体１内に収納された状態では、図１に示すように上蓋１０は洗浄庫２の上面に密着して上面開口３を閉塞し、洗浄庫２が筐体１から前方に引き出された状態では、図２に示すように上蓋１０は前方にせり出しつつ押し上げられた状態で保持される。
【００１８】
本食器洗い機の特徴の一つは、洗浄庫２の底部に配置された洗浄兼排水ポンプ８の取付構造にある。次いで、この洗浄兼排水ポンプ８の取付構造について図３〜図７を参照しつつ説明する。図３は本食器洗い機の洗浄庫底部付近の詳細構成を示す要部の側面一部断面図、図４は洗浄兼排水ポンプ周辺の詳細構成を示す下面図、図５はポンプモータの取付構造を示す概略図、図６は図５中のＢ−Ｂ’矢視線での断面図、図７は図３中のＡ部付近の拡大図である。
【００１９】
洗浄兼排水ポンプ８は、図１に示すように、内部に洗浄インペラ８０ａと排水インペラ８０ｂとを備える合成樹脂から成るポンプケーシング８０と、両インペラ８０ａ、８０ｂを同軸のモータ軸８１ａを介して回転駆動するポンプモータ８１とを含む。ポンプケーシング８０はその内部が洗浄ポンプ室と排水ポンプ室とに区画され、洗浄ポンプ室はその内部に洗浄インペラ８０ａを備えるとともに、外部に開口して洗浄用吸入口８０１及び洗浄用吐出口８０２を有する。一方、排水ポンプ室はその内部に排水インペラ８０ｂを備えるとともに、外部に開口して排水用吸入口８０３及び排水用吐出口８０４を有する。なお、図３、図４中には記載していないが、排水用吸入口８０３はホースを介して貯水槽７に接続され、排水用吐出口８０４はホースを介して機外の排水溝に接続されている。
【００２０】
ポンプケーシング８０は、両側がＬ字状に屈曲した金属製のモータ取付板８２にビス８４で螺着され、ポンプモータ８１もこのモータ取付板８２に対してビス８３で螺着されている。なお、図３、図４では明らかでないが、モータ取付板８２へのビス８３、８４の螺着箇所はいずれもそれぞれ３箇所である。このようにして、ポンプケーシング８０とポンプモータ８１とは直接的には固着されていないが、モータ取付板８２を介挿して強固に固着されている。モータ取付板８２はその両側のＬ字状屈曲部にそれぞれ取付穴を有しており、洗浄庫２の底壁２１から垂直下方に突出したボス２２に対し、ゴム等の弾性体から成る肉厚略筒状のクッション８７を挟んでビス８６により螺着されている。クッション８７は、ポンプモータ８１が動作する際の振動が洗浄庫２に伝播するのを防止する。
【００２１】
更に、ポンプモータ８１の後方側（ポンプケーシング８０から遠い側）を保持するために、図５に示すように、下方がポンプモータ８１の外形状に合わせて円弧状に湾曲して形成され両端部が外方に屈曲形成されたモータ保持帯８５が用いられる。モータ保持帯８５は図６に示すように、ゴム等の弾性体から成る断面コ字状の振動吸収帯８５２に金属帯８５１を嵌め込んだもので、これによりポンプモータ８１外面の金属体と金属帯８５１とが直接接触して騒音を発生するのを防止している。このモータ保持帯８５はポンプモータ８１を支え承け、その両端の屈曲部において上記モータ取付板８２の取付けと同様にボス２２に対してビス８６で螺着される。つまり、ビス８６を螺入してゆくとモータ保持帯８５によってポンプモータ８１は締め付けられ、これにより保持される。
【００２２】
このように、ポンプモータ８１の前方側はモータ取付板８２を介して洗浄庫２の底壁２１に強固に固着されており、後方側はモータ保持帯８５によって締付け保持されている。
【００２３】
ポンプケーシング８０の洗浄用吐出口８０２は直上を指向する円筒状を有し、その端部には図３及び図７に示すような扁平円筒状のガスケット８８が嵌挿され、洗浄庫２の底部に形成されたアーム基部に連通する略円筒状の連結部２３に圧入されている。図７に示すように、ガスケット８８の外周面及び内周面には圧入を容易にするとともに密着性を増すために環状に凹凸が形成されており、更に縁端部は内周側に指向して斜めに屈曲するフィン８８１となっている。このフィン８８１は洗浄用吐出口８０２が連結部２３に圧入される前には図７中の点線に示すように起立状態にあるが、圧入されると内周側に押し曲げられ、その復元力でもって連結部２３に強く密着する。更に、洗浄兼排水ポンプ８が洗浄ポンプ動作をするとき、洗浄用吐出口８０２を通して水が圧送されて来て水圧が加わると尚一層連結部２３に強く密着する。これにより、非常に高い水密性を維持することができる。
【００２４】
ポンプケーシング８０、ポンプモータ８１及びモータ取付板８２から成る洗浄兼排水ポンプ８を洗浄庫２の底部に取り付ける際には次のようにする。まず、クッション８７を嵌め込んだモータ取付板８２の取付穴が洗浄庫２の２箇所のボス２２にそれぞれ入るようにしつつ、ガスケット８８を嵌入した洗浄用吐出口８０２が洗浄庫２の連結部２３に圧入されるように、洗浄兼排水ポンプ８を洗浄庫２の底壁２１に対して取り付ける。このような３箇所の嵌め込みを行うには、洗浄兼排水ポンプ８が洗浄庫２の底壁２１に対して傾いているとうまくいかない。換言すれば、同方向からの３箇所の嵌込みを必要とした取付けとすることによって、洗浄庫２の底壁２１に対して洗浄兼排水ポンプ８がほぼ平行を保って近付くようにしている。これにより、ガスケット８８のフィン８８１が外周方向にまくれ上がって押し付けられることを防止し、結果的に連結部２３と洗浄用吐出口８０２と間の水封性を良好にすることができる。上述したように洗浄兼排水ポンプ８を嵌め込んだあと２箇所のビス８６を螺入し、そのあとモータ保持帯８５をビス８６で螺着する。
【００２５】
ところで、本食器洗い機では、単に洗浄兼排水ポンプ８の取付構造のみならず、その配置も特に考慮されたものとなっている。本食器洗い機では、上述したように洗浄兼排水ポンプ８は洗浄庫２に強固に固着されているものの、洗浄庫２の引出し・押入れ動作の開始時や停止時にはポンプモータ８１による慣性力によって洗浄兼排水ポンプ８の取付箇所には大きな力が掛かるおそれがある。特に、長期間の使用によってビス８６が緩んでくると、連結部２３と洗浄用吐出口８０２との圧入箇所に大きな力が掛かる可能性が高い。
【００２６】
このようなことから、本食器洗い機では、図４に示すように、重量物であるポンプモータ８１の重心と、連結部２３と洗浄用吐出口８０２との圧入箇所の中心とを結ぶ直線Ｃと、筐体１の前後方向、つまり洗浄庫２の引出し・押入れ方向に延伸する直線Ｄとで成す角度αが小さくなるように、具体的には２０°程度以下になるように各部の配置が定められている。より厳密に言うと、直線Ｃと直線Ｄとが完全な平行でない場合には、直線Ｃに斜交するように直線Ｄを定めることができるから、その直線Ｃ、Ｄを含む平面内で両直線Ｃ、Ｄが成す角度をαとし、そのαが２０°程度以下となるようにするとよい。
【００２７】
この角度αが９０°に近いと、洗浄庫２の引出し・押入れ動作時にポンプモータ８１による慣性力で圧入箇所にねじれ方向の大きな力が作用し、ガスケット８８の劣化の原因となり易い。これに対し、この食器洗い機のようにその角度αを小さくしておけば、上記要因によるガスケット８８の劣化の程度を抑制することができる。また、このような配置によれば、洗浄庫２の後方側にポンプモータ８１という重量物が配置されることになるので、洗浄庫２を引き出した状態で前方下側へ大きな力が掛かることを回避できる。
【００２８】
また、上記配置は次のような利点も有している。すなわち、インペラ８０ａ，８０ｂが固着されたモータ軸８１ａの延伸方向は洗浄庫２の引出し・押入れ方向に延伸する直線Ｄとほぼ同方向（つまりほぼ平行）になっている。ポンプモータ８０はビス８６により洗浄庫２の底壁２１に固定されてはいるもののクッション８７を挟んでいるため、勢いよく洗浄庫２が開閉されると、それによる慣性力や衝撃によって僅かではあるがポンプモータ８０は震動する。この震動方向がモータ軸８１ａに直交又はそれに近い角度であるとモータ軸８１ａに大きな負荷が掛かり、該モータ軸８１ａの傾きや曲がりの要因となり易い。一般に、モータ軸８１ａは非常に高い直線性や寸法精度を持って形成されており、僅かな傾きや曲がりによってもこのモータ軸８１ａを保持するベアリング（図示せず）との摩擦音、或いはモータ軸８１ａを水封するためのシール部材（図示せず）との摩擦音の発生の原因となる。これに対し、この実施形態の構造では、仮にポンプモータ８１が震動してもモータ軸８１ａを傾斜させたり曲げたりするような力の成分が非常に小さく、こうした変形が生じることを回避することができる。
【００２９】
更にまた、本食器洗い機では、モータ取付板８２を洗浄庫２の底壁２１に螺着している２箇所のビス８６を結ぶ直線が、上記直線Ｄと略直交するようにしている。これによって、洗浄庫２の引出し及び押入れ動作の際にポンプモータ８１の重量によって発生する慣性力を適度に分散して受けることができるので、洗浄兼排水ポンプ８を強固に固定することができる。
【００３０】
図８は本食器洗い機の要部の電気系構成図である。制御部３０はＣＰＵ、ＲＯＭ、ＲＡＭ、タイマなどを含むマイクロコンピュータを中心に構成されており、ＲＯＭに格納されている制御プログラムに基づいて運転動作等の各種の制御を実行する。制御部３０には、使用者が各種設定や指示を与えるための操作部３２、使用者が設定内容や運転状況をモニタするための表示部３３、使用者の注意を喚起すべきときに鳴動されるブザー３４、ドア４の開閉動作に応じてオフ又はオンするドアスイッチ３５、いずれも洗浄庫２に連通する水位検知室内に配置され、洗浄庫２内に貯留された水の水位に応じて上下するフロートによってオン又はオフする異常水位検知スイッチ３６及び正常水位検知スイッチ３７、洗浄庫２内の水又は空気の温度を検出する温度センサ３８などが接続されている。また、制御部３０には負荷駆動部３１が接続されており、この負荷駆動部３１を介して洗浄ポンプ８ａ、排水ポンプ８ｂ、ブロアモータ３９、給水バルブ４０、ヒータ４１の動作を制御する。なお、本食器洗い機では、上述したように洗浄ポンプ８ａ及び排水ポンプ８ｂは洗浄兼排水ポンプ８として一体化されており、ポンプモータ８１の回転駆動方向に応じて洗浄ポンプ動作又は排水ポンプ動作のいずれかが選択的に実行される。
【００３１】
本実施形態による食器洗い機の他の特徴は、異常水位検知スイッチ３６及びドアスイッチ３５からの検出信号に基づいて制御部３０で実行される異常水位検知処理にある。次に、この異常水位検知処理について図９のフローチャートに従って説明する。
【００３２】
この食器洗い機の電源スイッチ（図示しない）が投入されていない場合であっても、給水バルブ４０の故障により給水が停止できない状態になって漏水に至るような不具合は起こり得る。そのため、この異常水位検知処理は電源スイッチのオン／オフとは無関係に、本食器洗い機の電源プラグが電源コンセントに差し込まれていて商用交流電源が本機に供給されている状態でありさえすれば常時繰り返し実行される。勿論、この状態では排水ポンプ８ｂも商用交流電源に接続されており、電源スイッチがオフ状態であっても後述するような処理の結果排水の必要があれば、制御部３０は排水ポンプ８ｂを作動させることができるようになっている。
【００３３】
まず、制御部３０にあっては、内蔵する異常水位検知タイマ及びドア開閉検知タイマを共にリセットする（ステップＳ１）。この両タイマは常時計時を行っており、リセット直後に再びゼロから計時を開始する。次いで、異常水位検知スイッチ３６がオンしているか否かを判定する（ステップＳ２）。ここで異常水位検知スイッチ３６がオンしているか否かを判定する際には、スイッチのチャタリングや外来ノイズなどの影響を排除する処理が実行される。具体的には、例えば所定時間（例えば５０ｍ秒）内でｎ（例えば２５）回異常水位検知スイッチ３６のオン／オフ状態を判断し、そのうちｍ（ｎ＞ｍ）回以上オン状態であった場合に異常水位検知スイッチ３６がオンしていると判断すればよい。
【００３４】
上記ステップＳ２で異常水位検知スイッチ３６がオフ状態であると判定されると異常検知タイマをリセットし（ステップＳ３）、一方、異常水位検知スイッチ３６がオンしていると判定された場合にはそのまま（つまり異常水位検知タイマをリセットせずに）ステップＳ４へ進む。ステップＳ４では、ドアスイッチ３５がオンからオフ又はオフからオンに変化したか否かを判定し、変化があった場合には異常水位検知タイマ及びドア開閉検知タイマを共にリセットする（ステップＳ５）。ドアスイッチ３５のオン／オフ状態に変化があった場合には、洗浄庫２の引出し又は押入れが実行された直後であると判断できる。そのあと、異常水位検知タイマの計時が２秒に達しているか否かを判定し（ステップＳ６）、異常水位検知タイマの計時が２秒未満である場合には上記ステップＳ２へと戻る。
【００３５】
上記ステップＳ３及びＳ５でいずれも異常水位検知タイマはリセットされるから、ステップＳ２→Ｓ４→Ｓ６と進んだときのみ異常水位検知タイマの計時は途中でリセットされることなく進行している筈であり、Ｓ２→Ｓ４→Ｓ６→Ｓ２→…と繰り返しながら２秒が経過したならばステップＳ６からＳ７へと進む。ステップＳ７ではドア開閉検知タイマの計時が５秒を経過しているか否かを判定し、その計時が５秒以上であるときにはステップＳ９へと進み異常報知及び異常対策処理を実行する。異常報知としてはブザー３４を鳴動させたり表示部３３の異常報知ランプを点灯させたりし、異常対策処理としては排水ポンプ８ｂを作動させて洗浄庫２からの排水を開始する。
【００３６】
ドア開閉検知タイマはステップＳ５でリセットされるから、ドアスイッチ３５のオン／オフ状態変化のあと、つまり洗浄庫２の引出し又は押入れ動作直後の５秒間は、たとえ異常水位検知タイマの計時が２秒以上になったとしてもそのままではステップＳ９には進まずステップＳ８へと進む。つまり、これは実際に水位が異常水位に達しているためでなく、洗浄庫２の引出し又は押入れ動作に伴う大きな波立ちによって異常水位検知スイッチ３６がオン状態になっている可能性が高いからである。
【００３７】
ステップＳ８では異常水位検知タイマの計時が１０秒を経過しているか否かを判定し、計時が１０秒に達していない場合にはステップＳ２へと戻る。一方、ドア開閉検知タイマの計時が５秒未満であったとしても、異常水位検知タイマの計時が１０秒以上であった場合には異常であると判断してステップＳ９へ進む。これは、洗浄庫２が短時間の間に引出し・押入れ動作を繰り返された場合に、異常水位を越しているにも拘わらず異常報知や異常対策処理が行われなくなってしまうのを防ぐためである。
【００３８】
以上のような異常検知処理によって、洗いやすすぎ運転中に運転を一時停止して洗浄庫２を引き出したり押し入れたりした際に、洗浄庫２内に貯留されている水が大きく波立っても、異常水位に対応した報知や処理が実行されることはなくなる。そのため、実際には異常水位でないにも拘わらずブザー３４が鳴動したり、勝手に排水が行われてしまったりすることを防止できる。また、洗浄庫２の引出し・押入れの直後以外には、洗浄庫２内の水位が異常水位に達すると速やかに異常報知が行わるとともに排水が開始される。更には、洗浄庫２の引出し・押入れ動作が短時間に繰り返し行われたときには、その動作の直後であったとしても異常水位である可能性が高い場合に確実に異常報知が行わるとともに排水が開始される。このため、庫外へ水が溢れることを確実に防止できる。
【００３９】
なお、上記実施形態は単に一例であって、本発明の趣旨の範囲で適宜変更や修正を行えることは明らかである。
【図面の簡単な説明】
【００４０】
【図１】本発明の一実施形態による食器洗い機において洗浄庫を筐体に収納した状態での側面略断面図。
【図２】本実施形態による食器洗い機において洗浄庫を筐体から引き出した状態での側面略断面図。
【図３】本実施形態による食器洗い機の洗浄庫底部付近の詳細構成を示す要部の側面一部断面図。
【図４】本実施形態による食器洗い機の洗浄兼排水ポンプ周辺の詳細構成を示す下面図。
【図５】本実施形態による食器洗い機のポンプモータの取付方法を示す略分解図。
【図６】図５中のＢ−Ｂ’矢視線断面図。
【図７】図４中のＡ部の拡大図。
【図８】本実施形態による食器洗い機の要部の電気系構成図。
【図９】本実施形態による食器洗い機における異常水位検知処理のフローチャート。
【符号の説明】
【００４１】
１…筐体
２…洗浄庫
２１…底壁
２２…ボス
２３…連結部
３…上面開口
４…ドア
６…アーム
７…貯水槽
８…洗浄兼排水ポンプ
８０…ポンプケーシング
８０１…洗浄用吸入口
８０２…洗浄用吐出口
８１…ポンプモータ
８１ａ…モータ軸
８２…モータ取付板
８３、８４、８６…ビス
８５…モータ保持帯
８７…クッション
８８…ガスケット
８８１…フィン
１０…上蓋
３０…制御部
３１…負荷駆動部
３３…表示部
３４…ブザー
３５…ドアスイッチ
３６…異常水位検知スイッチ
【図１】
2006075640.tif 000003
【図２】
2006075640.tif 000004
【図３】
2006075640.tif 000005
【図４】
2006075640.tif 000006
【図５】
2006075640.tif 000007
【図６】
2006075640.tif 000008
【図７】
2006075640.tif 000009
【図８】
2006075640.tif 000010
【図９】
2006075640.tif 000011